(57)【要約】【課題】保護紙を簡単に取り外せるようにして、作業の簡素化および廃棄物の減容を実現するようにした保護紙巻き取り芯を提供する。【解決手段】第１，第２長体１５０，１６０を両端で固定する第１，第２固定部とを備え、第１，第２長体１５０，１６０の間に隙間部１４０を有する芯体が形成される保護紙巻き取り芯であって、巻き取り開始時の保護紙巻き取り芯では、隙間部１４０に保護紙６０がはめ込まれて巻き始めが形成された状態で芯体の周りを巻き回された巻回部が形成され、巻き取り終了時の保護紙巻き取り芯では、芯体を分割して隙間部１４０を縮小するように第１，第２長体１５０，１６０を移動させて巻回部を抜き取り容易な状態とするようにした。【選択図】図４
2008100808.tif 000002
【特許請求の範囲】
【請求項１】
第１長体と、
第１長体と対をなす第２長体と、
第１長体および第２長体を一端で固定する第１固定部と、
第１長体および第２長体を他端で固定する第２固定部と、
を備え、
第１，第２長体の間に隙間部を有する芯体が形成される保護紙巻き取り芯であって、
巻き取り開始時の保護紙巻き取り芯では、隙間部に保護紙がはめ込まれて巻き始めが形成された状態で芯体の周りを巻き回された巻回部が形成され、
巻き取り終了時の保護紙巻き取り芯では、芯体を分割して隙間部を縮小するように第１，第２長体を移動させて巻回部を抜き取り容易な状態とする、
ことを特徴とする保護紙巻き取り芯。
【請求項２】
請求項１に記載の保護紙巻き取り芯において、
前記第１固定部に対して前記第１長体が固定されるとともに前記第２長体の先端部が挿抜自在となるように前記第１固定部が形成されてなる第１分割体と、
前記第２固定部に対して前記第２長体が固定されるとともに前記第１長体の先端部が挿抜自在となるように前記第２固定部が形成されてなる第２分割体と、
を組み立てることで第１，第２長体の間に隙間部を有する芯体が形成されることを特徴とする保護紙巻き取り芯。
【請求項３】
請求項２に記載の保護紙巻き取り芯において、
前記第１，第２長体はそれぞれ断面劣弧状の円弧体を含み、前記芯体は、第１，第２長体の円弧体を対向させつつ円状に組み合わせて、外周部に形成された孔による隙間部が設けられた円筒体であることを特徴とする保護紙巻き取り芯。
【請求項４】
請求項２に記載の保護紙巻き取り芯において、
前記第１，第２長体はそれぞれ断面劣弓形状の弓形体を含み、前記芯体は、第１，第２長体の弦部を対向させつつ円状に組み合わせて、半径方向に形成された貫通孔による隙間部が設けられた丸棒体であることを特徴とする保護紙巻き取り芯。
【請求項５】
請求項３または請求項４に記載の保護紙巻き取り芯において、
前記第１，第２固定部は円筒体であり、円筒体内に前記第１，第２長体が固定されることを特徴とする保護紙巻き取り芯。
【請求項６】
請求項３に記載の保護紙巻き取り芯において、
前記第１，第２固定部は回転体状の多段体であり、外周部に前記第１，第２長体が固定されることを特徴とする保護紙巻き取り芯。
【請求項７】
請求項２に記載の保護紙巻き取り芯において、
前記第１，第２長体は一本の断面円状の丸棒体を含み、前記芯体は、外周が丸棒状の二本棒であってこれら二本棒の間に隙間部が設けられたことを特徴とする保護紙巻き取り芯。
【請求項８】
請求項２に記載の保護紙巻き取り芯において、
前記第１，第２長体は二本の断面円状の丸棒体を含み、前記芯体は、外周が丸棒状の四本棒であってこれら四本棒の間に隙間部が設けられたことを特徴とする保護紙巻き取り芯。
【請求項９】
請求項７または請求項８に記載の保護紙巻き取り芯において、
前記第１，第２固定部は円板であって、この円体の板面に前記第１，第２長体が固定されることを特徴とする保護紙巻き取り芯。
【請求項１０】
請求項１に記載の保護紙巻き取り芯において、
前記第１長体と前記第２長体とを組み合わせて第１，第２長体の間に隙間部を有する芯体に対し、一方の端部に第１固定部を、また、他方の端部に第２固定部を、それぞれ嵌挿させて長手方向に対して垂直方向の移動を拘束するように固定することを特徴とする保護紙巻き取り芯。
【請求項１１】
請求項１０に記載の保護紙巻き取り芯において、
前記第１，第２長体はそれぞれ断面劣弧状の円弧体を含み、前記芯体は、第１，第２長体を円状に組み合わせ、外周部に形成された孔による隙間部が設けられた円筒体であることを特徴とする保護紙巻き取り芯。
【請求項１２】
請求項１１に記載の保護紙巻き取り芯において、
前記第１，第２固定部は円筒体であり、この円筒体内に前記第１，第２長体が嵌挿されることを特徴とする保護紙巻き取り芯。
【請求項１３】
請求項１１に記載の保護紙巻き取り芯において、
前記第１，第２固定部はリングであり、このリング内に前記第１，第２長体が嵌挿されることを特徴とする保護紙巻き取り芯。
【発明の詳細な説明】
【技術分野】
【０００１】
本発明は、粘着フィルムシートから剥がされた保護紙を巻き取るための保護紙巻き取り芯に関する。
【背景技術】
【０００２】
半導体製造工程のうち、リングフレームに粘着フィルムシートを張り渡し、さらにこの粘着フィルムシート上に半導体ウェーハを配置して一体化させるフィルムシート貼り工程がある。この際、粘着フィルムシートから保護紙が剥がされるため、保護紙巻き取り芯に保護紙を巻き取らせて回収してる。このような保護紙巻き取り芯が用いられる従来技術例として、例えば、特開２００２−１７６０１１号公報に記載のテープ貼り機がある。このテープ貼り機は、セパレータ巻き取りローラ（保護紙巻き取り芯に相当）を備え、フィルムの接着面を保護するためのセパレータ（保護紙に相当）を未使用テープ（粘着フィルムシートに相当）から剥がしながらこの未使用テープを繰り出していき、この繰り出しと同時にセパレータをセパレータ巻き取りローラに巻き取らせるというものである。
【０００３】
【特許文献１】特開２００２−１７６０１１号公報（段落番号［００１３］，図１）
【発明の開示】
【発明が解決しようとする課題】
【０００４】
保護紙巻き取り芯に巻き回された巻物状の保護紙を、廃棄のため保護紙巻き取り芯から取り外すことが必要となる。しかしながら、現状では保護紙巻き取り芯から保護紙を取り外すことは容易ではないという問題があった。
保護紙巻き取り芯に巻き始めを形成するため、現状では市販の固定テープを使用して保護紙先端を保護紙巻き取り芯に固定している。保護紙先端を保護紙巻き取り芯に固定した固定テープは巻き回された巻物状の保護紙の最も内側にあり、当然ながら保護紙を巻き回した状態では固定テープを剥がすことができない。このため保護紙巻き取り芯から保護紙を取り外すために巻き取った保護紙を解く作業が必要となる。しかしながら、この作業は手間を要するものであり、このような生産に寄与しない不要な作業に長い時間人員を割くことにより、作業効率が低下するという問題があった。
また、取り外した保護紙は折り畳むなどの措置を施さないと廃棄物の容積が見かけ上増加するという問題もあった。
【０００５】
そこで、本発明は、上記課題を解決するためになされたものであり、その目的は、保護紙を簡単に取り外せるようにして、作業の簡素化および廃棄物の減容を実現するようにした保護紙巻き取り芯を提供することにある。
【課題を解決するための手段】
【０００６】
本発明の請求項１に係る保護紙巻き取り芯は、
第１長体と、
第１長体と対をなす第２長体と、
第１長体および第２長体を一端で固定する第１固定部と、
第１長体および第２長体を他端で固定する第２固定部と、
を備え、
第１，第２長体の間に隙間部を有する芯体が形成される保護紙巻き取り芯であって、
巻き取り開始時の保護紙巻き取り芯では、隙間部に保護紙がはめ込まれて巻き始めが形成された状態で芯体の周りを巻き回された巻回部が形成され、
巻き取り終了時の保護紙巻き取り芯では、芯体を分割して隙間部を縮小するように第１，第２長体を移動させて巻回部を抜き取り容易な状態とする、
ことを特徴とする。
【０００７】
また、本発明の請求項２に係る保護紙巻き取り芯は、
請求項１に記載の保護紙巻き取り芯において、
前記第１固定部に対して前記第１長体が固定されるとともに前記第２長体の先端部が挿抜自在となるように前記第１固定部が形成されてなる第１分割体と、
前記第２固定部に対して前記第２長体が固定されるとともに前記第１長体の先端部が挿抜自在となるように前記第２固定部が形成されてなる第２分割体と、
を組み立てることで第１，第２長体の間に隙間部を有する芯体が形成されることを特徴とする。
【０００８】
また、本発明の請求項３に係る保護紙巻き取り芯は、
請求項２に記載の保護紙巻き取り芯において、
前記第１，第２長体はそれぞれ断面劣弧状の円弧体を含み、前記芯体は、第１，第２長体の円弧体を対向させつつ円状に組み合わせて、外周部に形成された孔による隙間部が設けられた円筒体であることを特徴とする。
【０００９】
また、本発明の請求項４に係る保護紙巻き取り芯は、
請求項２に記載の保護紙巻き取り芯において、
前記第１，第２長体はそれぞれ断面劣弓形状の弓形体を含み、前記芯体は、第１，第２長体の弦部を対向させつつ円状に組み合わせて、半径方向に形成された貫通孔による隙間部が設けられた丸棒体であることを特徴とする。
【００１０】
また、本発明の請求項５に係る保護紙巻き取り芯は、
請求項３または請求項４に記載の保護紙巻き取り芯において、
前記第１，第２固定部は円筒体であり、円筒体内に前記第１，第２長体が固定されることを特徴とする。
【００１１】
また、本発明の請求項６に係る保護紙巻き取り芯は、
請求項３に記載の保護紙巻き取り芯において、
前記第１，第２固定部は回転体状の多段体であり、外周部に前記第１，第２長体が固定されることを特徴とする。
【００１２】
また、本発明の請求項７に係る保護紙巻き取り芯は、
請求項２に記載の保護紙巻き取り芯において、
前記第１，第２長体は一本の断面円状の丸棒体を含み、前記芯体は、外周が丸棒状の二本棒であってこれら二本棒の間に隙間部が設けられたことを特徴とする。
【００１３】
また、本発明の請求項８に係る保護紙巻き取り芯は、
請求項２に記載の保護紙巻き取り芯において、
前記第１，第２長体は二本の断面円状の丸棒体を含み、前記芯体は、外周が丸棒状の四本棒であってこれら四本棒の間に隙間部が設けられたことを特徴とする。
【００１４】
また、本発明の請求項９に係る保護紙巻き取り芯は、
請求項７または請求項８に記載の保護紙巻き取り芯において、
前記第１，第２固定部は円板であって、この円体の板面に前記第１，第２長体が固定されることを特徴とする。
【００１５】
また、本発明の請求項１０に係る保護紙巻き取り芯は、
請求項１に記載の保護紙巻き取り芯において、
前記第１長体と前記第２長体とを組み合わせて第１，第２長体の間に隙間部を有する芯体に対し、一方の端部に第１固定部を、また、他方の端部に第２固定部を、それぞれ嵌挿させて長手方向に対して垂直方向の移動を拘束するように固定することを特徴とする。
【００１６】
また、本発明の請求項１１に係る保護紙巻き取り芯は、
請求項１０に記載の保護紙巻き取り芯において、
前記第１，第２長体はそれぞれ断面劣弧状の円弧体を含み、前記芯体は、第１，第２長体を円状に組み合わせ、外周部に形成された孔による隙間部が設けられた円筒体であることを特徴とする。
【００１７】
また、本発明の請求項１２に係る保護紙巻き取り芯は、
請求項１１に記載の保護紙巻き取り芯において、
前記第１，第２固定部は円筒体であり、この円筒体内に前記第１，第２長体が嵌挿されることを特徴とする。
【００１８】
また、本発明の請求項１３に係る保護紙巻き取り芯は、
請求項１１に記載の保護紙巻き取り芯において、
前記第１，第２固定部はリングであり、このリング内に前記第１，第２長体が嵌挿されることを特徴とする。
【発明の効果】
【００１９】
以上のような本発明によれば、保護紙を簡単に取り外せるようにして、作業の簡素化および廃棄物の減容を実現するようにした保護紙巻き取り芯を提供することができる。
【発明を実施するための最良の形態】
【００２０】
続いて、本発明を実施するための最良の形態の保護紙巻き取り芯について図を参照しつつ説明する。図１は本形態の保護紙巻き取り芯１００の説明図であり、図１（ａ）は保護紙巻き取り芯１００の構成図、図１（ｂ）は保護紙巻き取り芯１００の側面図、図１（ｃ）は保護紙巻き取り芯１００のＡ−Ａ線断面図、図１（ｄ）は保護紙巻き取り芯１００のＢ−Ｂ線断面図、図１（ｅ）は第１，第２長体の構成図、図１（ｆ）は第１，第２長体の先端部側の側面図、図１（ｇ）は第１，第２固定部の側面図、図１（ｈ）は第１，第２固定部のＣ−Ｃ線断面図、図１（ｉ）は保護紙巻き取り芯１００の分離の説明図である。
【００２１】
保護紙巻き取り芯１００は、図１（ａ）で示すように、芯体１１０、第１固定部１２０、第２固定部１３０、隙間部１４０（図４（ａ）参照）を備えている。
一方の第１固定部１２０は第１長体１５０の円筒部１５１に固定され、他方の第２固定部１３０は第２長体１６０の円筒部１６１に固定される。図１（ｉ）で示すように、第１長体１５０と第１固定部１２０とにより第１分割体１７０が、また、第２長体１６０と第２固定部１３０とにより第２分割体１８０が形成される。通常は図１（ｉ）で示すような第１分割体１７０および第２分割体１８０を組み立てるものであり、第１分割体１７０の先端部１５４を第２分割体１８０の第２固定部１３０の内筒に嵌め込みつつ、また、第２分割体１８０の先端部１６４を第１分割体１７０の第１固定部１２０の内筒に嵌め込んで図１（ａ）で示すように一体に組み立てることで保護紙巻き取り芯１００を構成する。
【００２２】
芯体１１０は、第１長体１５０、第２長体１６０を組み合わせて構成される。
第１長体１５０は、図１（ｅ），（ｆ）で示すように、円筒部１５１、接続部１５２、円弧体１５３、先端部１５４、固定孔１５５、切欠部１５６を備えている。
第２長体１６０は、同様に、円筒部１６１、接続部１６２、円弧体１６３、先端部１６４、固定孔１６５、切欠部１６６を備えている。ここに第２長体１６０は第１長体１５０と同じ構造であり、以下第１長体１５０の各部について説明し、第１長体１５０と第２長体１６０とは同じ名称を付すとともに重複する説明を省略する。
【００２３】
円筒部１５１は、第１長体１５０の一方の側に形成されている筒体である。
接続部１５２は、円筒部１５１と連接して設けられた円弧部である。この接続部１５２に第２長体１６０の先端部１６４を載せたときに接続部１５２と先端部１６４とで円筒を形成する。この円筒は円筒部１５１と内外周ともに同じ径となる。この際、図１（ｄ）からも明らかなように、第１長体１５０の接続部１５２は半円よりは大きい優弧状の円弧体となり、第２長体１６０の先端部１６４は半円より小さい劣弧状の円弧体となる。
【００２４】
円弧体１５３は、上記のように劣弧状の円弧体であり、半円の円弧体に対して切削により切欠部１５６を形成することで構成する。
先端部１５４は、特に円弧体１５３の先端であり、円弧体１５３と同様に劣弧状の円弧体である。
【００２５】
固定孔１５５は、円筒部１５１に形成された孔であり、第１長体１５０に第１固定部１２０を固定する際に用いられる。
切欠部１５６は、接続部１５２と同じ優弧状の円弧体を切削して形成されるものであって、円弧体１５３および先端部１５４を劣弧状の円弧体とするために形成される。
第２長体１６０も同様の構成となる。第１長体１５０と第２長体１６０とはこのようなものである。
【００２６】
第１固定部１２０は、図１（ｇ），（ｈ）で示すように、円筒体１２１、固定孔１２２を備える。
第２固定部１３０は、同様に円筒体１３１、固定孔１３２を備える。
ここに第２固定部１３０は第１固定部１２０と同じ構造であり、以下第１固定部１２０の各部について説明し、第１固定部１２０と第２固定部１３０とは同じ名称を付すとともに重複する説明を省略する。
【００２７】
円筒体１２１は、円筒状に形成され、図１（ｂ）で示すように、円筒体１２１の内径と、芯体１１０の円筒部１５１の外径とがほぼ一致している。また、この接続部１５２に第２長体１６０の先端部１６４を載せて形成される円筒の外径とも円筒部１５１との外径はほぼ一致しており、円筒体１２１はこれら円筒と挿抜が容易なように形成される。
固定孔１２２は、円筒部１５１に形成された固定孔１５５と連通して固定部１２０を円筒部１５１に固定する際に用いられる。例えば、固定孔１２２は単なる孔で固定孔１５５はねじ孔としてねじにより固定するようにしても良い。
第２固定部１３０も同様の構成となる。第１固定部１２０と第２固定部１３０とはこのようなものである。
【００２８】
隙間部１４０は、図１（ａ）で示すように第１長体１５０と第２長体１６０とを組み合わせたときに、切欠部１５６，１６６の間に形成されるものであり、図１（ｃ），図４（ａ）で示すように、円筒体状の芯体１１０では対向する二カ所に形成される。これら隙間部１４０に保護紙が差し込まれた状態で保護紙先端を押さえつつ巻き回すことで巻き始めが形成され、保護紙巻き取り芯１００に保護紙が固定される。
【００２９】
続いて保護紙巻き取り芯１００の使用について説明する。図２は保護紙巻き取り芯が用いられる装置の説明図であり、図２（ａ）は保護紙巻き取り芯１００を搭載したフィルムシート供給装置５０の説明図、図２（ｂ）は保護紙巻き取り装置４３の説明図である。図３は保持部の説明図であり、図３（ａ）は駆動側保持部１０の説明図、図３（ｂ）は従動側保持部２０の説明図、図３（ｃ）は従動側保持部２０の固定の説明図、図３（ｄ）はばね受けの説明図である。
【００３０】
フィルムシート供給装置５０は、図２（ａ），（ｂ）で示すように、フィルムシート供給部４２、保護紙巻き取り装置４３を備える。
保護紙巻き取り装置４３は、駆動側保持部１０、従同側保持部２０、保持アーム３１，３２、固定シャフト３３，３４、支軸部３５，３６、軸支アーム３７，３８、付勢ばね３９、駆動ベルト４０、駆動部４１を備える。
保持アーム３１，３２が固定シャフト３３，３４により固定されて構造体を形成する。この構造体が支軸部３５，３６により軸支アーム３７，３８に対して回転するようになされている。保持アーム３１，３２の先端にはそれぞれ駆動側保持部１０、従同側保持部２０が固定されている。駆動側保持部１０は駆動プーリ１４（図３（ａ）参照）を備え、駆動ベルト４０を介して駆動部４１から駆動力が伝達される。構造体は、付勢ばね３９により、駆動ベルト４０が適切な張力となるように調整され、また剥がされた保護紙の長短を吸収しつつ巻き取れるようにしている。
【００３１】
保持部は駆動側の駆動側保持部１０と従動側の従動側保持部２０とに分割されている。
駆動側保持部１０は、図３（ａ）で示すように、駆動側ハウジング１１、軸支部１２、駆動軸１３、駆動プーリ１４、駆動側嵌合部１５、留めねじ１６を備えている。
従動側保持部２０は、図３（ｂ）で示すように、従動側ハウジング２１、軸支部２２、従動軸２３、抜け留め２４、ばね受け２５、圧縮ばね２６、従動側嵌合部２７、留めねじ２８を備える。
【００３２】
駆動側保持部１０では、図３（ａ）で示すように、駆動側ハウジング１１が保持アーム３１（図２（ｂ）参照）に固定され、さらに駆動側ハウジング１１の中央孔の両端の軸支部１２を介して駆動軸１３が回動自在に支持されている。駆動軸１３の一端には駆動プーリ１４が取り付けられており、図２（ａ）で示すように、駆動ベルト４０を介して伝達される駆動部４１からの駆動力により回動する。駆動軸１３の他端には駆動側嵌合部１５が留めねじ１６により取り付けられている。駆動側嵌合部１５は、保護紙巻き取り芯１００の端面となる円筒部１５１に嵌め込まれる嵌合部であって、取付位置の基準となる。
【００３３】
従動側保持部２０では、図３（ｃ）で示すように、従動側ハウジング２１が固定ねじ２９により保持アーム３２に固定され、図３（ｂ）で示すように、従動側ハウジング２１の中央孔に従動軸２３が留めねじ２８により固定されている。過剰な力が加わっても抜け留め２４により抜けないようになされている。従動軸２３には軸支部２２を介してばね受け２５が回動自在に軸支されている。さらに従動軸２３には軸支部２２を介して従動側嵌合部２７が回動自在に軸支されている。従動側嵌合部２７は抜け留め２４により従動軸２３から抜けないようになされている。ばね受け２５と従動側嵌合部２７との間には圧縮ばね２６が配置され、従動側嵌合部２７が駆動側に移動するように従動側嵌合部２７を矢印ａ方向に付勢している。
【００３４】
続いて保護紙巻き取り芯１００の保護紙巻き取り装置４３への取付について説明する。
取付は保護紙巻き取り芯１００を従動側保持部２０の従動側嵌合部２７へ押し付けて図３（ｄ）で示すように圧縮ばね２６を圧縮させることで従動側嵌合部２７を矢印ｂ方向に移動させつつ、保護紙巻き取り芯１００の端部の円筒部１６１に従動側嵌合部２７を嵌合させ、続いて、圧縮ばね２６のバネ力により保護紙巻き取り芯１００を駆動側保持部１０の駆動側嵌合部１５へ押し付けて保護紙巻き取り芯１００の端部の円筒部１５１に駆動側嵌合部１５を嵌合させて取付が完了する。
【００３５】
続いて保護紙巻き取り装置４３の巻き取り動作について説明する。
図４は保護紙巻き取り芯１００の使用の説明図であり、図４（ａ）は保護紙の取付の説明図、図４（ｂ）は保護紙の取り外しの説明図である。
図２（ａ）で示すフィルムシート供給部４２ではフィルムシートを繰り出してフィルムシートを供給する。この際、フィルムシートの接着面から保護紙を剥がし、保護紙巻き取り装置４３が、保護紙巻き取り芯１００に保護紙を巻き取らせることとなる。
巻き取り開始前に、まず図４（ａ）で示すように保護紙６０を隙間部１４０に挿入・貫通させて反対側に先端を出した状態としつつこの先端を押さえるように巻き付けることで保護紙６０の先端が巻き込まれて（押さえ込まれて）保持されることで巻き始めを形成して、保護紙６０を保護紙巻き取り芯１００に固定する。巻き始めをこのような構成としたため、固定テープは不要としている。
【００３６】
続いて、図２（ａ）で示すように、駆動部４１が駆動力を伝達することで、フィルムシート供給部４２ではフィルムシートを繰り出しつつ保護紙巻き取り装置４３が駆動されて保護紙６０の巻き取りがなされる。フィルムシート供給部４２と保護紙巻き取り装置４３とでは同期して運転されるが、仮に保護紙巻き取り芯１００のオーバーランが発生したとしても保護紙巻き取り芯１００に対して駆動側保持部１０の駆動側嵌合部１５が滑ることでオーバーランが吸収される。
【００３７】
続いて本発明の特徴をなす保護紙巻き取り芯１００からの保護紙６０の取り外しについて説明する。フィルムシート供給部４２から全てのフィルムシートを繰り出して保護紙巻き取り装置４３での巻き取りも終了したとき、図４（ａ）で示すように、保護紙巻き取り芯１００に保護紙６０が巻き付いて巻物状の巻回部が形成された状態となっている。この状態で保護紙巻き取り芯１００を保護紙巻き取り装置４３から取り外した後に保護紙６０を取り除くこととなるが、保護紙巻き取り芯１００に強固に巻き付いた保護紙６０を取り外すことは容易ではない。
【００３８】
そこで、図１（ｉ）で示すように、第１分割体１７０と第２分割体１８０とを互いに反対方向に動かして接続部１５２，１６２から先端部１５４，１６４を離脱させて分離し、図４（ｂ）で示すように、隙間部１４０を縮小するように第１長体１５０と第２長体１６０とを矢印ｃ方向に移動させて近づけると充分な空間部が形成されて第１長体１５０や第２長体１６０を保護紙６０の巻物状の巻回部から引き抜くことが可能となる。分解した二組の第１分割体１７０と第２分割体１８０とを保護紙６０から取り除くことで保護紙巻き取り芯１００を保護紙６０から取り外すことができる。さらに先に説明したように保護紙６０の先端をテープ固定していないため、この点でも保護紙６０を巻物状の巻回部のまま取り外すことができるようにしている。
【００３９】
このような保護紙巻き取り芯１００によれば、簡単な引き抜き動作だけで保護紙６０を巻物状の巻回部のままで簡単に取り外せるようにして、作業の簡素化を実現する。さらに、保護紙巻き取り芯１００が取り外された後に残る保護紙６０は巻物状の巻回部となっているため、廃棄物としては大幅な減容を実現する。
【００４０】
続いて、他の形態の保護紙巻き取り芯について図を参照しつつ説明する。図５は他の形態の保護紙巻き取り芯２００の説明図であり、図５（ａ）は保護紙巻き取り芯２００の構成図、図５（ｂ）は保護紙巻き取り芯２００の側面図、図５（ｃ）は保護紙巻き取り芯２００のＤ−Ｄ線断面図、図５（ｄ）は保護紙巻き取り芯２００のＥ−Ｅ線断面図、図５（ｅ）は保護紙巻き取り芯２００の分離の説明図である。
【００４１】
保護紙巻き取り芯２００は、図５（ａ）で示すように、芯体２１０、第１固定部２２０、第２固定部２３０、隙間部２４０を備えている。
一方の第１固定部２２０は第１長体２５０の接続部２５２および第２長体２６０の先端部２６４を当接させて形成される円筒の外周で固定されるリングであり、他方の第２固定部２３０は第２長体２６０の接続部２６２および第１長体２５０の先端部２５４を当接させて形成される円筒の外周で固定されるリングである。第１固定部２２０や第２固定部２３０は弾性体リングや金属製リングを採用しても良い。通常は図５（ｅ）で示すような第１長体２５０および第２長体２６０を、図５（ａ）で示すように一体に組み立てることで保護紙巻き取り芯２００を構成する。第１固定部２２０，第２固定部２３０は芯体２１０に固定されてなくただ嵌め込まれているため長手方向に対して垂直方向の移動のみを拘束する。そして第１長体２５０の接続部２５２および第２長体２６０の先端部２６４が当接し、また、第２長体２６０の接続部２６２および第１長体２５０の先端部２５４が当接しているため、長手方向で圧縮方向の移動も拘束される。なお、引っ張り方向の移動は拘束できない。
【００４２】
芯体２１０は、第１長体２５０、第２長体２６０を組み合わせて構成される。
第１長体２５０および第２長体２６０は、先に図１（ｅ），（ｆ）を用いて説明した第１長体１５０および第２長体１６０と同じ構成であり、重複する説明を省略する。なお、固定孔はなくても良い。
【００４３】
隙間部２４０は、図５（ａ）で示すように第１長体２５０と第２長体２６０とを組み合わせたときに、切欠部２５６，２６６の間に形成されるものであり、図５（ｃ）で示すように、円筒状の芯体２１０では対向する二カ所に形成される。これら隙間部２４０には保護紙が差し込まれた状態でこの保護紙の先端を押さえるように回すことで保護紙巻き取り芯２００に保護紙が固定される。
保護紙巻き取り芯２００の使用等については先の形態と同じであり、先に説明した駆動側保持部１０の駆動側嵌合部１５や従動側保持部２０の従動側嵌合部２７により挟み込まれて圧縮により固定されるため、第１固定部２２０，第２固定部２３０が芯体２１０に固定されてなくただ嵌め込まれているだけでも、上記のような保護紙巻き取り装置に設置できるようになる。
【００４４】
このような保護紙巻き取り芯２００によれば、簡単な引き抜き動作だけで保護紙６０を簡単に取り外せるようにして、作業の簡素化を実現する。さらに、保護紙巻き取り芯１００が取り外された後に残る保護紙６０は巻物状となっており、廃棄物としては大幅な減容を実現する。
さらに第１固定部２２０，第２固定部２３０を単なるリング体（輪ゴムなどの弾性体・Ｏリング・金属リング・締結バンド）として単純化したものであり、安価な市販の製品を購入するだけでよく、製造コストを低減することができる。
また、先に図１を用いて説明した円筒体の第１，第２固定部を採用し、芯体２１０に嵌挿するようにしても良い。
【００４５】
続いて、他の形態の保護紙巻き取り芯について図を参照しつつ説明する。図６は他の形態の保護紙巻き取り芯３００の説明図であり、図６（ａ）は保護紙巻き取り芯３００の構成図、図６（ｂ）は保護紙巻き取り芯３００のＦ−Ｆ線断面図、図６（ｃ）は第１，第２長体の構成図、図６（ｄ）は第１，第２長体のＧ−Ｇ線断面図、図６（ｅ）は第１，第２固定部の断面図、図６（ｆ）は第１，第２固定部のＨ−Ｈ線断面図、図６（ｇ）は第１，第２固定部の側面図、図６（ｈ）は保護紙巻き取り芯３００の分離の説明図である。
【００４６】
保護紙巻き取り芯３００は、図６（ａ）で示すように、芯体３１０、第１固定部３２０、第２固定部３３０、隙間部３４０を備えている。
一方の第１固定部３２０では第１長体３５０が多段体３２１に固定され、他方の第２固定部３３０では第２長体３６０が多段体３３１に固定される。図６（ｈ）で示すように、第１長体３５０と第１固定部３２０とにより第１分割体３７０が、また、第２長体３６０と第２固定部３３０とにより第２分割体３８０が形成される。通常は図６（ｈ）で示すような第１分割体３７０および第２分割体３８０を組み立てるものであり、第１分割体３７０の先端部３５２を、第２分割体３８０の第２固定部３３０の多段体３３１の挿入溝３３２に取付つつ、また、第２分割体３８０の先端部３６２を、第１分割体３７０の第１固定部３２０の多段体３２１の挿入溝３２２に取付けて図６（ａ）で示すように一体に組み立てることで保護紙巻き取り芯３００を構成する。
【００４７】
芯体３１０は、第１長体３５０、第２長体３６０により構成される。
第１長体３５０は、図６（ｃ），（ｄ）で示すように、円弧体３５１、先端部３５２、切欠部３５３、固定孔３５４を備えている。
第２長体３６０は、同様に、円弧体３６１、先端部３６２、切欠部３６３、固定孔３６４を備えている。ここに第２長体３６０は第１長体３５０と同じ構造であり、以下第１長体３５０の各部について説明し、第１長体３５０と第２長体３６０とは同じ名称を付すとともに重複する説明を省略する。
【００４８】
円弧体３５１は、劣弧状の円弧体であり、例えば、半円の円弧体に対して切欠部３５３を形成することで構成する。
先端部３５２は、特に円弧体３５１の先端であり、円弧体３５１と同様に劣弧状の円弧体である。
【００４９】
切欠部３５３は、半円の円弧体に対して形成されるものであって、円弧体３５１および先端部３５２を劣弧状の円弧体とするために形成される。
固定孔３５４は、円弧体３５１に形成されたねじ固定用の孔であり、第１長体３５０を第１固定部３２０に固定する際に用いられる。
第２長体３６０も同様の構成となる。第１長体３５０と第２長体３６０とはこのようなものである。
【００５０】
第１固定部３２０は、図１（ｅ），（ｆ），（ｇ）で示すように、多段体３２１、挿入溝３２２、挿通孔３２３、圧入ピン３２４、ねじ孔３２５を備える。
第２固定部３３０は、同様に多段体３３１、挿入溝３３２、挿通孔３３３、圧入ピン３３４、ねじ孔３３５を備える。
ここに第２固定部３３０は第１固定部３２０と同じ構造であり、以下第１固定部３２０の各部について説明し、第１固定部３２０と第２固定部３３０とは同じ名称を付すとともに重複する説明を省略する。
【００５１】
多段体３２１は、回転体状であって多段円柱体状に形成され、図６（ｂ）で示すように、円弧体３５１，３６１の曲率半径と多段体３２１の小径段部の半径とが一致するようになされている。
挿入溝３２２は、円弧体３５１，３６１が差し込まれて半径方向へ移動しないようにする。
挿通孔３２３は、例えば、軸が差し込まれて保護紙巻き取り芯３００を回転するようにする。この場合、先に説明した駆動側保持部１０の駆動側嵌合部１５や従動側保持部２０の従動側嵌合部２７に軸を形成することで上記のような保護紙巻き取り装置に設置できるようになる。
【００５２】
圧入ピン３２４は、組立時に先端部３５２をガイドし、隙間部３４０を確保する。
ねじ孔３２５は、図示しないねじが螺挿されて円弧体３５１を固定する。
第２固定部３３０も同様の構成となる。第１固定部３２０と第２固定部３３０とはこのようなものである。
【００５３】
隙間部３４０は、図６（ａ）で示すように第１長体３５０と第２長体３６０とを組み合わせたときに、圧入ピン３２４，３３４によって片寄りを防ぐことで切欠部３５３，３６３の間に形成されるものであり、図６（ｂ）で示すように、円筒状の芯体３１０では対向する二カ所に形成される。これら隙間部３４０には保護紙が差し込まれた状態でこの保護紙の先端を押さえるように巻き回すことで、保護紙巻き取り芯３００に保護紙が固定される。
【００５４】
このような保護紙巻き取り芯３００によれば、簡単な引き抜き動作だけで保護紙６０を簡単に取り外せるようにして、作業の簡素化を実現する。さらに、保護紙巻き取り芯３００が取り外された後に残る保護紙６０は巻物状となっており、廃棄物としては大幅な減容を実現する。
【００５５】
続いて、他の形態の保護紙巻き取り芯について図を参照しつつ説明する。図７は他の形態の保護紙巻き取り芯４００の説明図であり、図７（ａ）は保護紙巻き取り芯４００の構成図、図７（ｂ）は保護紙巻き取り芯４００の側面図、図７（ｃ）は保護紙巻き取り芯４００のＩ−Ｉ線断面図、図７（ｄ）は保護紙巻き取り芯４００のＪ−Ｊ線断面図、図７（ｅ）は第１，第２長体の構成図、図７（ｆ）は第１，第２長体の先端部側の側面図、図７（ｇ）は第１，第２固定部の側面図、図７（ｈ）は第１，第２固定部のＫ−Ｋ線断面図、図７（ｉ）は保護紙巻き取り芯４００の分離の説明図である。
【００５６】
保護紙巻き取り芯４００は、図７（ａ）で示すように、芯体４１０、第１固定部４２０、第２固定部４３０、隙間部４４０（図８（ａ）参照）を備えている。
一方の第１固定部４２０は第１長体４５０の円柱部４５１に固定され、他方の第２固定部４３０では第２長体４６０の円柱部４６１に固定される。図７（ｉ）で示すように、第１長体４５０と第１固定部４２０とにより第１分割体４７０が、また、第２長体４６０と第２固定部４３０とにより第２分割体４８０が形成される。通常は図７（ｉ）で示すような第１分割体４７０および第２分割体４８０を組み立てるものであり、第１分割体４７０の先端部４５４を、第２分割体４８０の第２固定部４３０の円筒体４３１の内筒に取付つつ、また、第２分割体４８０の先端部４６４を、第１分割体４７０の第１固定部４２０の円筒体４２１の内筒に取付けて図７（ａ）で示すように一体に組み立てることで保護紙巻き取り芯４００を構成する。
【００５７】
芯体４１０は、第１長体４５０、第２長体４６０を組み合わせて構成される。
第１長体４５０は、図７（ｅ），（ｆ）で示すように、円柱部４５１、接続部４５２、弓形体４５３、先端部４５４、固定孔４５５、切欠部４５６を備えている。
第２長体４６０は、同様に、円柱部４６１、接続部４６２、弓形体４６３、先端部４６４、固定孔４６５、切欠部４６６を備えている。ここに第２長体４６０は第１長体４５０と同じ構造であり、以下第１長体４５０の各部について説明し、第１長体４５０と第２長体４６０とは同じ名称を付すとともに重複する説明を省略する。
【００５８】
円柱部４５１は、第１長体４５０の一方の側に設けられている。なお円柱部４５１の外側では凸部が形成されているが、先に説明した駆動側保持部１０の駆動側嵌合部１５や従動側保持部２０の従動側嵌合部２７に凹部を形成することで上記のような保護紙巻き取り装置に設置できるようになる。
接続部４５２は、円柱部４５１と連接して設けられた弓形体である。この接続部４５２に第２長体４６０の先端部４６４を載せたときに円柱を形成する。この際、図７（ｄ）で示すように、第１長体４５０の接続部４５２は半円よりは大きい優弓形状の弓形体となり、第２長体４６０の先端部４６４は半円より小さい劣弓形状の弓形体となる。
【００５９】
弓形体４５３は、劣弓形状の弓形体であり、半円の弓形体（半月体）に対して切欠部４５６を形成することで構成する。
先端部４５４は、特に弓形体４５３の先端であり、弓形体４５３と同様に劣弓形状の弓形体である。
【００６０】
固定孔４５５は、円柱部４５１に形成された孔であり、第１長体４５０に第１固定部４２０を固定する際に用いられる。
切欠部４５６は、接続部４５２と同じ優弓形状の弓形体に対して切削により形成されるものであって、円弧体４５３および先端部４５４を劣弓形状の弓形体とする。
第２長体４６０も同様の構成となる。第１長体４５０と第２長体４６０とはこのようなものである。
【００６１】
第１固定部４２０は、図７（ｇ），（ｈ）で示すように、円筒体４２１、固定孔４２２を備える。
第２固定部４３０は、同様に円筒体４３１、固定孔４３２を備える。
ここに第２固定部４３０は第１固定部４２０と同じ構造であり、以下第１固定部４２０の各部について説明し、第１固定部４２０と第２固定部４３０とは同じ名称を付すとともに重複する説明を省略する。
【００６２】
円筒体４２１は、円筒状に形成され、図７（ｂ）で示すように、円筒体４２１の内径と、芯体４１０の円柱部４５１の外径とほぼ一致している。また、この接続部４５２に第２長体４６０の先端部４６４を載せて形成される円柱の外径と円柱部４５１との外径はほぼ一致しており、挿抜が容易なように形成される。
固定孔４２２は、円柱部４５１に形成された固定孔４５５と連通して固定部４２０を円柱部４５１に固定する際に用いられる。例えば、固定孔４２２は単なる孔で固定孔４５５はねじ孔としてねじにより固定するようにしても良い。
第２固定部４３０も同様の構成となる。第１固定部４２０と第２固定部４３０とはこのようなものである。
【００６３】
隙間部４４０は、図７（ａ）で示すように第１長体４５０と第２長体４６０とを組み合わせたときに、切欠部４５６，４６６との間に形成されるものであり、図７（ｃ）で示すように、円柱状の芯体４１０では貫通孔として形成される。これら隙間部４４０には保護紙が差し込まれた状態でこの保護紙の先端を押さえるように巻き回すことで保護紙巻き取り芯４００に保護紙が固定される。
【００６４】
続いて保護紙巻き取り装置（図示せず）の巻き取り動作について説明する。
図８は保護紙巻き取り芯４００の使用の説明図であり、図８（ａ）は保護紙の取付の説明図、図８（ｂ）は保護紙の取り外しの説明図である。
保護紙６０の巻き取り開始前に、まず図８（ａ）で示すように保護紙６０を隙間部４４０に挿入・貫通させて反対側に先端を出した状態としつつこの保護紙の先端を押さえるように巻き付けることで保護紙６０の先端が巻き込まれて（押さえ込まれて）保持されることで巻き始めを形成して、保護紙６０を保護紙巻き取り芯４００に固定する。この際、隙間部４４０は直線状の貫通孔として形成されており、保護紙６０を隙間部４４０に通し易くしている。
そして、保護紙６０の巻き取りが開始され、保護紙巻き取り芯４００に巻き回されていく。
【００６５】
続いて本発明の特徴をなす保護紙巻き取り芯４００からの保護紙６０の取り外しについて説明する。保護紙巻き取り装置での巻き取りも終了したとき、図８（ａ）で示すように、保護紙巻き取り芯４００に保護紙が巻き付いて巻回部が形成された状態となっている。この状態で保護紙巻き取り芯４００を保護紙巻き取り装置から取り外した後に保護紙６０を取り除くこととなるが、保護紙巻き取り芯４００に巻き付いた巻物状の保護紙６０を取り外すことは容易ではない。
【００６６】
そこで、図７（ｉ）で示すように、第１分割体４７０と第２分割体４８０とを互いに反対方向に動かして分離し、図８（ｂ）で示すように、隙間部４４０を縮小するように第１長体４５０と第２長体４６０とを矢印ｄ方向に移動させて近づけると充分な空間部が形成されて第１長体４５０や第２長体４６０とを保護紙６０による巻物状の巻回部から引き抜くことが可能となる。分解した第１分割体４７０と第２分割体４８０とを保護紙から取り除いて保護紙巻き取り芯４００を保護紙６０から取り外すことができる。
【００６７】
このような保護紙巻き取り芯４００によれば、簡単な引き抜き動作だけで保護紙６０を簡単に取り外せるようにして、作業の簡素化を実現する。さらに、保護紙巻き取り芯４００が取り外された後に残る保護紙６０は巻物状の巻回部となっており、廃棄物としては大幅な減容を実現する。
また、先に説明した各形態では第１長体，第２長体が円弧状であるため、保護紙を隙間部に挿通すると、円弧の内側に保護紙先端が引っ掛かるおそれがあったが、本形態では隙間部４４０が直線状の貫通孔となっており保護紙６０の先端を通すのが容易である。
【００６８】
続いて、他の形態の保護紙巻き取り芯について図を参照しつつ説明する。図９は他の形態の保護紙巻き取り芯５００の説明図であり、図９（ａ）は保護紙巻き取り芯５００の構成図、図９（ｂ）は保護紙巻き取り芯５００の側面図、図９（ｃ）は保護紙巻き取り芯５００のＬ−Ｌ線断面図、図９（ｄ）は第１，第２長体の構成図、図９（ｅ）は第１，第２長体のねじ孔部側の側面図、図９（ｆ）は第１，第２固定部の内側の側面図、図９（ｇ）は第１，第２固定部の断面図、図９（ｈ）は第１，第２固定部の外側の側面図、図９（ｉ）は保護紙巻き取り芯５００の分離の説明図、図９（ｊ）は分離した保護紙巻き取り芯５００の外側の側面図、図９（ｋ）は分離した保護紙巻き取り芯５００のＭ−Ｍ線断面図である。
【００６９】
保護紙巻き取り芯５００は、図９（ａ）で示すように、芯体５１０、第１固定部５２０、第２固定部５３０、隙間部５４０（図１０（ａ）参照）を備えている。
一方の第１固定部５２０には第１長体５５０が固定され、他方の第２固定部５３０には第２長体５６０が固定される。図９（ｉ）で示すように、第１長体５５０と第１固定部５２０とにより第１分割体５８０が、また、第２長体５６０と第２固定部５３０とにより第２分割体５９０が形成される。通常は図９（ｉ）で示すような第１分割体５８０および第２分割体５９０を組み立てるものであり、第１分割体５８０の先端部５５２を、第２分割体５９０の第２固定部５３０の先端部挿通孔５３４に嵌め込みつつ、また、第２分割体５９０の先端部５６２を、第１分割体５８０の第１固定部５２０の先端部挿通孔５２４に嵌め込んで図９（ａ）で示すように一体に組み立てることで保護紙巻き取り芯５００を構成する。
【００７０】
芯体５１０は、第１長体５５０、第２長体５６０により構成される。
第１長体５５０は、図９（ｄ），（ｅ）で示すように、丸棒体５５１、先端部５５２、ねじ孔部５５３を備えている。
第２長体５６０は、同様に、丸棒体５６１、先端部５６２、ねじ孔部５６３を有する棒体である。ここに第２長体５６０は第１長体５５０と同じ構造であり、以下第１長体５５０の各部について説明し、第１長体５５０と第２長体５６０とは同じ名称を付すとともに重複する説明を省略する。
【００７１】
丸棒体５５１は、断面円形の棒体である。
先端部５５２は、丸棒体５５１の先端に形成されるものであり、丸棒体５５１よりも小さい径としている。
ねじ孔部５５３は、先端部５５２とは反対側の丸棒体５５１の先端に形成されるものである。
第２長体５６０も同様の構成となる。第１長体５５０と第２長体５６０とはこのようなものである。
【００７２】
第１固定部５２０は、図９（ｆ），（ｇ），（ｈ）で示すように、円体５２１、ざぐり孔５２２、中央孔５２３、先端部挿通孔５２４を備える。
第２固定部５３０は、同様に、円体５３１、ざぐり孔５３２、中央孔５３３、先端部挿通孔５３４を備える。
ここに第２固定部５３０は第１固定部５２０と同じ構造であり、以下第１固定部５２０の各部について説明し、第１固定部５２０と第２固定部５３０とは同じ名称を付すとともに重複する説明を省略する。
【００７３】
円体５２１は、円板状に形成されている。
ざぐり孔５２２は、円板５２１に形成される。ねじ５７０がこのざぐり孔５２２に挿通されて第１長体５５０のねじ孔部５５３に螺挿される。
中央孔５２３は、例えば、軸が差し込まれて保護紙巻き取り芯５００を回転するようにする。この場合、先に説明した駆動側保持部１０の駆動側嵌合部１５や従動側保持部２０の従動側嵌合部２７に軸を形成することで上記のような保護紙巻き取り装置に設置できるようになる。
先端部挿通孔５２４は、第２長体５６０の先端部５６２が差し込まれる。
第２固定部５３０も同様の構成となる。第１固定部５２０と第２固定部５３０とはこのようなものである。
【００７４】
隙間部５４０は、図９（ａ）で示すように第１長体５５０と第２長体５６０とを組み合わせたときに形成されるものであり、図９（ｃ）で示すように、丸棒体である第１長体５５０と第２長体５６０とによる芯体５１０では第１長体５５０と第２長体５６０との間に形成される。これら隙間部５４０には保護紙が差し込まれた状態でこの保護紙の先端を押さえるように巻き回すことで保護紙巻き取り芯５００に保護紙が固定される。
【００７５】
続いて保護紙巻き取り装置（図示せず）の巻き取り動作について説明する。
図１０は保護紙巻き取り芯５００の使用の説明図であり、図１０（ａ）は保護紙の取付の説明図、図１０（ｂ）は保護紙の取り外しの説明図である。
保護紙の巻き取り開始前に、まず図１０（ａ）で示すように保護紙６０の先端を隙間部５４０に挿入・貫通させて反対側に先端を出した状態としつつこの保護紙の先端を押さえるように巻き付けることで保護紙６０の先端が巻き込まれて（押さえ込まれて）保持されることで巻き始めを形成して、保護紙６０を保護紙巻き取り芯５００に固定する。この際、隙間部５４０は鼓形であって入口が広く形成されており、保護紙６０を隙間部５４０に通し易くしている。
そして、保護紙６０の巻き取りが開始され、保護紙巻き取り芯５００に巻き回されていく。
【００７６】
続いて本発明の特徴をなす保護紙巻き取り芯５００からの保護紙６０の取り外しについて説明する。保護紙巻き取り装置での巻き取りも終了したとき、図１０（ａ）で示すように、保護紙巻き取り芯５００に保護紙が巻き付いて巻物状の巻回部が形成された状態となっている。この状態で保護紙巻き取り芯５００を保護紙巻き取り部から取り外した後に保護紙６０を取り除くこととなるが、保護紙巻き取り芯５００に巻き付いた保護紙６０による巻物状の巻回部を取り外すことは容易ではない。
【００７７】
そこで、図９（ｉ）で示すように、第１分割体５８０と第２分割体５９０とを互いに反対方向に動かして分離し、図１０（ｂ）で示すように、隙間部５４０を縮小するように第１長体５５０と第２長体５６０とを矢印ｅ方向に移動させて近づけると充分な空間部が形成されて第１長体５５０や第２長体５６０とを保護紙６０の巻物状の巻回部から引き抜くことが可能となる。分解した第１分割体５８０と第２分割体５９０とを保護紙６０の巻物状の巻回部から取り除いて保護紙巻き取り芯５００を保護紙６０から取り外すことができる。
【００７８】
このような保護紙巻き取り芯５００によれば、簡単な引き抜き動作だけで保護紙６０を簡単に取り外せるようにして、作業の簡素化を実現する。さらに、保護紙巻き取り芯５００が取り外された後に残る保護紙６０は巻物状となっており、廃棄物としては大幅な減容を実現する。
また、先に説明した形態では第１長体，第２長体が円弧状であるため、保護紙を隙間部に挿通すると、円弧の内側に保護紙先端が引っ掛かるおそれがあったが、本形態では隙間部５４０は入口が広い断面鼓形になっており保護紙６０の先端を通すのが容易である。
【００７９】
続いて、他の形態の保護紙巻き取り芯について図を参照しつつ説明する。図１１は他の形態の保護紙巻き取り芯６００の説明図であり、図１１（ａ）は保護紙巻き取り芯６００の構成図、図１１（ｂ）は保護紙巻き取り芯６００の側面図、図１１（ｃ）は保護紙巻き取り芯６００のＮ−Ｎ線断面図、図１１（ｄ）は第１，第２長体の構成図、図１１（ｅ）は第１，第２長体のねじ孔部側の側面図、図１１（ｆ）は第１，第２固定部の内側の側面図、図１１（ｇ）は第１，第２固定部の断面図、図１１（ｈ）は保護紙巻き取り芯６００の分離の説明図、図１１（ｉ）は分離した保護紙巻き取り芯６００の外側の側面図、図１１（ｊ）は分離した保護紙巻き取り芯６００のＯ−Ｏ線断面図である。
【００８０】
保護紙巻き取り芯６００は、図１１（ａ）で示すように、芯体６１０、第１固定部６２０、第２固定部６３０、隙間部６４０（図１２（ａ）参照）を備えている。
一方の第１固定部６２０には第１長体６５０が固定され、他方の第２固定部６３０には第２長体６６０が固定される。図１１（ｈ）で示すように、第１長体６５０と第１固定部６２０とにより第１分割体６８０が、また、第２長体６６０と第２固定部６３０とにより第２分割体６９０が形成される。通常は図１１（ｈ）で示すような第１分割体６８０および第２分割体６９０を組み立てるものであり、第１分割体６８０の先端部６５２を、第２分割体６９０の第２固定部６３０の先端部挿通孔６３４にはめ込みつつ、また、第２分割体６９０の先端部６６２を、第１分割体６８０の第１固定部６２０の先端部挿通孔６２４に嵌め込んで図１１（ａ）で示すように一体に組み立てることで保護紙巻き取り芯６００を構成する。
【００８１】
芯体６１０は、第１長体６５０、第２長体６６０を組み合わせて構成される。
第１長体６５０は、図１１（ｄ），（ｅ）で示すように、丸棒体６５１、先端部６５２、ねじ孔部６５３を有する棒体を二本備える構成である。
第２長体６６０は、同様に、丸棒体６６１、先端部６６２、ねじ孔部６６３を有する棒体を二本備える構成である。ここに第２長体６６０は第１長体６５０と同じ構造であり、以下第１長体６５０の各部について説明し、第１長体６５０と第２長体６６０とは同じ名称を付すとともに重複する説明を省略する。
【００８２】
丸棒体６５１は、棒状の部材である。
先端部６５２は、丸棒体６５１の先端に形成されるものであり、丸棒体６５１よりも小さい径としている。
ねじ孔部６５３は、先端部６５２と反対側の丸棒体６５１の先端に形成されるものである。
第２長体６６０も同様の構成となる。第１長体６５０と第２長体６６０とはこのようなものである。
【００８３】
第１固定部６２０は、図１１（ｆ），（ｇ）で示すように、円体６２１、ざぐり孔６２２、中央孔６２３、先端部挿通孔６２４を備える。
第２固定部６３０は、同様に、円体６３１、ざぐり孔６３２、中央孔６３３、先端部挿通孔６３４を備える。
ここに第２固定部６３０は第１固定部６２０と同じ構造であり、以下第１固定部６２０の各部について説明し、第１固定部６２０と第２固定部６３０とは同じ名称を付すとともに重複する説明を省略する。
【００８４】
円体６２１は、円板状に形成されている。
ざぐり孔６２２は、円板６２１に形成される。ねじ６７０がこのざぐり孔６２２に挿通されて第１長体６５０のねじ孔部６５３に螺挿される。
中央孔６２３は、例えば、軸が差し込まれて保護紙巻き取り芯６００を回転するようにする。この場合、先に説明した駆動側保持部１０の駆動側嵌合部１５や従動側保持部２０の従動側嵌合部２７に軸を形成することで上記のような保護紙巻き取り装置に設置できるようになる。
先端部挿通孔６２４は、第２長体６６０の先端部６６２が差し込まれる。
第２固定部６３０も同様の構成となる。第１固定部６２０と第２固定部６３０とはこのようなものである。
【００８５】
隙間部６４０は、図１１（ａ）で示すように第１長体６５０と第２長体６６０とを組み合わせたときに形成されるものであり、図１１（ｃ）で示すように、二本の丸棒体である第１長体６５０と第２長体６６０とによる芯体６１０では第１長体６５０と第２長体６６０との間に複数形成される。これら隙間部６４０には保護紙が差し込まれた状態でこの保護紙の先端を押さえるように巻き回すことで保護紙巻き取り芯６００に保護紙が固定される。
【００８６】
続いて保護紙巻き取り装置（図示せず）の巻き取り動作について説明する。
図１２は保護紙巻き取り芯６００の使用の説明図であり、図１２（ａ）は保護紙の取付の説明図、図１２（ｂ）は保護紙の取り外しの説明図である。
保護紙の巻き取り開始前に、まず図１２（ａ）で示すように保護紙６０を隙間部６４０に挿入・貫通させて反対側に先端を出した状態としつつこの保護紙の先端を押さえるように巻き付けることで保護紙６０の先端が巻き込まれて（押さえ込まれて）保持されることで巻き始めを形成して、保護紙６０を保護紙巻き取り芯６００に固定する。この際、隙間部６４０は鼓形であって入口が広く形成されており、保護紙６０を隙間部６４０に通し易くしている。
また、４個の棒体によりほぼ正方形状に巻き取れるため、保護紙巻き取り芯６００が一回転したときの巻き取り量を多くしている。
そして、保護紙６０の巻き取りが開始され、保護紙巻き取り芯６００に巻き回されていく。
【００８７】
続いて本発明の特徴をなす保護紙巻き取り芯６００からの保護紙６０の取り外しについて説明する。保護紙巻き取り装置での巻き取りも終了したとき、図１２（ａ）で示すように、保護紙巻き取り芯６００に保護紙が巻き付いて巻物状の巻回部が形成された状態となっている。この状態で保護紙巻き取り芯６００を保護紙巻き取り部から取り外した後に保護紙を取り除くこととなるが、保護紙巻き取り芯６００に巻き付いた保護紙６０の巻物状の巻回部を取り外すことは容易ではない。
【００８８】
そこで、図１１（ｈ）で示すように、第１分割体６８０と第２分割体６９０とを互いに反対方向に動かして分離し、図１２（ｂ）で示すように、隙間部６４０を縮小するように第１長体６５０と第２長体６６０とを矢印ｆ方向に移動させて近づけると充分な空間部が形成されて第１長体６５０や第２長体６６０とを保護紙６０の巻物状の巻回部から引き抜くことが可能となる。分解した第１分割体６８０と第２分割体６９０とを保護紙６０から取り除いて、保護紙巻き取り芯６００を保護紙６０の巻物状の巻回部から取り外すことができる。
【００８９】
このような保護紙巻き取り芯６００によれば、簡単な引き抜き動作だけで保護紙６０を簡単に取り外せるようにして、作業の簡素化を実現する。さらに、保護紙巻き取り芯６００が取り外された後に残る保護紙６０は巻物状となっており、廃棄物としては大幅な減容を実現する。
また、先の形態では第１長体，第２長体が円弧状であるため、保護紙を隙間部に挿通すると、円弧の内側に保護紙先端が引っ掛かるおそれがあったが、本形態では第１長体６５０，第２長体６６０を丸棒から製作して、隙間部６４０は入口が広い断面鼓形になっており保護紙６０の先端を通すのが容易である。
【００９０】
以上本発明の多数形態の保護紙巻き取り芯１００〜６００について説明した。
これら形態ではいずれも簡易な工夫で巻き回された保護紙の取り外し作業を容易にすることで作業効率を大幅に高めることができる。
さらに、取り外した保護紙を巻物状として廃棄物の減容や廃棄作業の容易化も実現することができる。
【図面の簡単な説明】
【００９１】
【図１】本発明を実施するための最良の形態の保護紙巻き取り芯の説明図であり、図１（ａ）は保護紙巻き取り芯の構成図、図１（ｂ）は保護紙巻き取り芯の側面図、図１（ｃ）は保護紙巻き取り芯のＡ−Ａ線断面図、図１（ｄ）は保護紙巻き取り芯のＢ−Ｂ線断面図、図１（ｅ）は第１，第２長体の構成図、図１（ｆ）は第１，第２長体の先端部側の側面図、図１（ｇ）は第１，第２固定部の側面図、図１（ｈ）は第１，第２固定部のＣ−Ｃ線断面図、図１（ｉ）は保護紙巻き取り芯の分離の説明図である。
【図２】保護紙巻き取り芯が用いられる装置の説明図であり、図２（ａ）は保護紙巻き取り芯を搭載したフィルムシート供給装置の説明図、図２（ｂ）は保護紙巻き取り装置の説明図である。
【図３】保持部の説明図であり、図３（ａ）は駆動側保持部の説明図、図３（ｂ）は従動側保持部の説明図、図３（ｃ）は従動側保持部の固定の説明図、図３（ｄ）はばね受けの説明図である。
【図４】保護紙巻き取り芯の使用の説明図であり、図４（ａ）は保護紙の取付の説明図、図４（ｂ）は保護紙の取り外しの説明図である。
【図５】他の形態の保護紙巻き取り芯の説明図であり、図５（ａ）は保護紙巻き取り芯の構成図、図５（ｂ）は保護紙巻き取り芯の側面図、図５（ｃ）は保護紙巻き取り芯のＤ−Ｄ線断面図、図５（ｄ）は保護紙巻き取り芯のＥ−Ｅ線断面図、図５（ｅ）は保護紙巻き取り芯の分離の説明図である。
【図６】他の形態の保護紙巻き取り芯の説明図であり、図６（ａ）は保護紙巻き取り芯の構成図、図６（ｂ）は保護紙巻き取り芯のＦ−Ｆ線断面図、図６（ｃ）は第１，第２長体の構成図、図６（ｄ）は第１，第２長体のＧ−Ｇ線断面図、図６（ｅ）は第１，第２固定部の断面図、図６（ｆ）は第１，第２固定部のＨ−Ｈ線断面図、図６（ｇ）は第１，第２固定部の側面図、図６（ｈ）は保護紙巻き取り芯の分離の説明図である。
【図７】他の形態の保護紙巻き取り芯の説明図であり、図７（ａ）は保護紙巻き取り芯の構成図、図７（ｂ）は保護紙巻き取り芯の側面図、図７（ｃ）は保護紙巻き取り芯のＩ−Ｉ線断面図、図７（ｄ）は保護紙巻き取り芯のＪ−Ｊ線断面図、図７（ｅ）は第１，第２長体の構成図、図７（ｆ）は第１，第２長体の先端部側の側面図、図７（ｇ）は第１，第２固定部の側面図、図７（ｈ）は第１，第２固定部のＫ−Ｋ線断面図、図７（ｉ）は保護紙巻き取り芯の分離の説明図である。
【図８】保護紙巻き取り芯の使用の説明図であり、図８（ａ）は保護紙の取付の説明図、図８（ｂ）は保護紙の取り外しの説明図である。
【図９】他の形態の保護紙巻き取り芯の説明図であり、図９（ａ）は保護紙巻き取り芯の構成図、図９（ｂ）は保護紙巻き取り芯の側面図、図９（ｃ）は保護紙巻き取り芯のＬ−Ｌ線断面図、図９（ｄ）は第１，第２長体の構成図、図９（ｅ）は第１，第２長体のねじ孔部側の側面図、図９（ｆ）は第１，第２固定部の内側の側面図、図９（ｇ）は第１，第２固定部の断面図、図９（ｈ）は第１，第２固定部の外側の側面図、図９（ｉ）は保護紙巻き取り芯の分離の説明図、図９（ｊ）は分離した保護紙巻き取り芯の外側の側面図、図９（ｋ）は分離した保護紙巻き取り芯のＭ−Ｍ線断面図である。
【図１０】保護紙巻き取り芯の使用の説明図であり、図１０（ａ）は保護紙の取付の説明図、図１０（ｂ）は保護紙の取り外しの説明図である。
【図１１】他の形態の保護紙巻き取り芯の説明図であり、図１１（ａ）は保護紙巻き取り芯の構成図、図１１（ｂ）は保護紙巻き取り芯の側面図、図１１（ｃ）は保護紙巻き取り芯のＮ−Ｎ線断面図、図１１（ｄ）は第１，第２長体の構成図、図１１（ｅ）は第１，第２長体のねじ孔部側の側面図、図１１（ｆ）は第１，第２固定部の内側の側面図、図１１（ｇ）は第１，第２固定部の断面図、図１１（ｈ）は保護紙巻き取り芯の分離の説明図、図１１（ｉ）は分離した保護紙巻き取り芯の外側の側面図、図１１（ｊ）は分離した保護紙巻き取り芯のＯ−Ｏ線断面図である。
【図１２】保護紙巻き取り芯の使用の説明図であり、図１２（ａ）は保護紙の取付の説明図、図１２（ｂ）は保護紙の取り外しの説明図である。
【符号の説明】
【００９２】
１００，２００，３００，４００，５００，６００：保護紙巻き取り芯
１１０，２１０，３１０，４１０，５１０，６１０：芯体
１２０，２２０，３２０，４２０，５２０，６２０：第１固定部
１３０，２３０，３３０，４３０，５３０，６３０：第２固定部
１４０，２４０，３４０，４４０，５４０，６４０：隙間部
１５０，２５０，３５０，４５０，５５０，６５０：第１長体
１６０，２６０，３６０，４６０，５６０，６６０：第２長体
１７０，３７０，４７０，５８０，６８０：第１分割体
１８０，３８０，４８０，５９０，６９０：第２分割体
【図１】
2008100808.tif 000003
【図２】
2008100808.tif 000004
【図３】
2008100808.tif 000005
【図４】
2008100808.tif 000006
【図５】
2008100808.tif 000007
【図６】
2008100808.tif 000008
【図７】
2008100808.tif 000009
【図８】
2008100808.tif 000010
【図９】
2008100808.tif 000011
【図１０】
2008100808.tif 000012
【図１１】
2008100808.tif 000013
【図１２】
2008100808.tif 000014